(57)【要約】【課題】利用者の利便性向上を図りつつ、利用者へのヒートショックを抑制することができる浴室内空気調和システム、制御装置、浴室内空気調和方法およびプログラムを提供する。【解決手段】浴室内空気調和システムは、給湯機２と、浴室の床ＦＬに埋設され給湯機２から供給される湯水が循環する循環パイプ５１０と、浴室の壁ＷＡに埋設され給湯機２から供給される湯水が循環する循環パイプ６１０と、床ＦＬの温度を検出する温度センサ７１と、壁ＷＡの温度を検出する温度センサ７２と、床ＦＬの温度と壁ＷＡの温度とに基づいて、給湯機２に対して循環パイプ６１０へ湯水の供給を開始するよう指示する給湯開始指示情報、または、給湯機２に対して循環パイプ６１０への湯水の供給を休止するよう指示する給湯休止指示情報を生成する制御装置１と、を備える。【選択図】図２
2020180756.tif 000002
【特許請求の範囲】
【請求項１】
給湯機と、
浴室の床に埋設され前記給湯機から供給される湯水が循環する第１循環パイプと、
前記浴室における壁と天井との少なくとも１つに埋設され前記給湯機から供給される湯水が循環する第２循環パイプと、
前記床の第１温度を検出する第１温度センサと、
前記浴室における前記壁と前記天井との少なくとも１つの第２温度を検出する第２温度センサと、
前記第１温度と前記第２温度とに基づいて、前記給湯機に対して前記第２循環パイプへ湯水の供給を開始するよう指示する第１給湯開始指示情報、または、前記給湯機に対して前記第２循環パイプへの湯水の供給を休止するよう指示する給湯休止指示情報を生成する指示情報生成部と、を備える、
浴室内空気調和システム。
【請求項２】
前記第１循環パイプと前記第２循環パイプとは、前記給湯機から供給される湯水が前記第２循環パイプを流れた後前記第１循環パイプを流れてから前記給湯機へ戻るように配管されている、
請求項１に記載の浴室内空気調和システム。
【請求項３】
前記第１温度が予め設定された目標温度未満であるか否かを判定する判定部を更に備え、
前記指示情報生成部は、前記判定部により前記第１温度が前記目標温度未満であると判定されると、前記第１給湯開始指示情報を生成する、
請求項２に記載の浴室内空気調和システム。
【請求項４】
前記判定部は、更に、前記第１温度が予め設定された第１基準温度未満であり且つ前記第２温度が予め設定された第２基準温度未満であるか否かを判定し、
前記指示情報生成部は、前記判定部により前記第１温度が前記第１基準温度未満であり且つ前記第２温度が前記第２基準温度未満であると判定されると、前記第１給湯開始指示情報を生成し、前記判定部により前記第１温度が前記第１基準温度以上である、または、前記第２温度が前記第２基準温度以上であると判定されると、前記第１給湯開始指示情報の生成を回避する、
請求項３に記載の浴室内空気調和システム。
【請求項５】
前記第１温度と前記目標温度との温度差を算出する温度差算出部を更に備え、
前記指示情報生成部は、前記温度差に基づいて、前記給湯機から前記第１循環パイプおよび前記第２循環パイプへ供給される湯水の温度を指定する給湯温度情報を生成する、
請求項３または４に記載の浴室内空気調和システム。
【請求項６】
前記第１循環パイプは、前記給湯機から供給される湯水が前記第１循環パイプを流れた後、前記給湯機へ戻るように配管され、
前記第２循環パイプは、前記給湯機から供給される湯水が前記第２循環パイプを流れた後、前記給湯機へ戻るように配管されている、
請求項１に記載の浴室内空気調和システム。
【請求項７】
前記第１温度が予め設定された第１目標温度未満であるか否かを判定するとともに、前記第２温度が予め設定された第２目標温度未満であるか否かを判定する判定部を更に備え、
前記指示情報生成部は、前記判定部により前記第１温度が前記第１目標温度未満であると判定されると、前記給湯機に対して前記第１循環パイプへ湯水の供給を開始するよう指示する第２給湯開始指示情報を生成し、前記判定部により前記第２温度が前記第２目標温度未満であると判定されると、前記第１給湯開始指示情報を生成する、
請求項６に記載の浴室内空気調和システム。
【請求項８】
前記判定部は、更に、前記第１温度が予め設定された第１基準温度未満であるか否かを判定するとともに、前記第２温度が予め設定された第２基準温度未満であるか否かを判定し、
前記指示情報生成部は、前記判定部により前記第１温度が前記第１基準温度未満であると判定されると、前記第２給湯開始指示情報を生成し、前記判定部により前記第１温度が前記第１基準温度以上であると判定されると、前記第２給湯開始指示情報の生成を回避し、前記判定部により前記第２温度が前記第２基準温度未満であると判定されると、前記第１給湯開始指示情報を生成し、前記判定部により前記第２温度が前記第２基準温度以上であると判定されると、前記第１給湯開始指示情報の生成を回避する、
請求項７に記載の浴室内空気調和システム。
【請求項９】
前記第１温度と前記第１目標温度との第１温度差を算出するとともに、前記第２温度と前記第２目標温度との第２温度差を算出する温度差算出部を更に備え、
前記指示情報生成部は、前記第１温度差に基づいて、前記給湯機から前記第１循環パイプへ供給される湯水の温度を指定する第１給湯温度情報を生成し、前記第２温度差に基づいて、前記給湯機から前記第２循環パイプへ供給される湯水の温度を指定する第２給湯温度情報を生成する、
請求項７または８に記載の浴室内空気調和システム。
【請求項１０】
給湯機と、浴室の床に埋設され前記給湯機から供給される湯水が循環する第１循環パイプと、前記浴室における壁と天井との少なくとも１つに埋設され前記給湯機から供給される湯水が循環する第２循環パイプと、前記床の第１温度を検出する第１温度センサと、前記浴室における前記壁と前記天井との少なくとも１つの第２温度を検出する第２温度センサと、を備える浴室内空気調和システムを制御する制御装置であって、
前記第１温度センサから前記第１温度を示す第１温度情報を取得するとともに前記第２温度センサから前記第２温度を示す第２温度情報を取得する温度取得部と、
前記第１温度情報が示す第１温度と前記第２温度情報が示す前記第２温度とに基づいて、前記給湯機に対して前記第２循環パイプへ湯水の供給を開始するよう指示する第１給湯開始指示情報、または、前記給湯機に対して前記第２循環パイプへの湯水の供給を休止するよう指示する給湯休止指示情報を生成する指示情報生成部と、を備える、
制御装置。
【請求項１１】
給湯機と、浴室の床に埋設され前記給湯機から供給される湯水が循環する第１循環パイプと、前記浴室における壁と天井との少なくとも１つに埋設され前記給湯機から供給される湯水が循環する第２循環パイプと、前記床の第１温度を検出する第１温度センサと、前記浴室における前記壁と前記天井との少なくとも１つの第２温度を検出する第２温度センサと、を備える浴室内空気調和システムによる浴室空気調和方法であって、
前記第１温度センサから前記第１温度を示す第１温度情報を取得するとともに前記第２温度センサから前記第２温度を示す第２温度情報を取得するステップと、
前記第１温度情報が示す第１温度と前記第２温度情報が示す前記第２温度とに基づいて、前記給湯機に対して前記第１循環パイプへ湯水の供給を開始するよう指示する第１給湯開始指示情報、または、前記給湯機に対して前記第１循環パイプへの湯水の供給を休止するよう指示する給湯休止指示情報を生成するステップと、を含む、
浴室内空気調和方法。
【請求項１２】
コンピュータを、
給湯機から供給される湯水が循環する第１循環パイプが埋設された浴室の床の第１温度を検出する第１温度センサから前記第１温度を示す第１温度情報を取得するとともに、前記給湯機から供給される湯水が循環する第２循環パイプが埋設された前記浴室における壁と天井との少なくとも１つの第２温度を検出する第２温度センサから前記第２温度を示す第２温度情報を取得する温度取得部、
前記第１温度情報が示す前記第１温度と前記第２温度情報が示す前記第２温度とに基づいて、前記給湯機に対して前記第１循環パイプへ湯水の供給を開始するよう指示する第１給湯開始指示情報、または、前記給湯機に対して前記第１循環パイプへの湯水の供給を休止するよう指示する給湯休止指示情報を生成する指示情報生成部、
として機能させるためのプログラム。
【発明の詳細な説明】
【技術分野】
【０００１】
本発明は、浴室内空気調和システム、制御装置、浴室内空気調和方法およびプログラムに関する。
【背景技術】
【０００２】
特に冬場における浴室の室温制御としては、利用者のヒートショックの抑制という利用者の健康面に配慮した室温制御が求められている。これに対して、風呂給湯機から浴槽へ湯を供給するための給湯経路の往き側部分に直列に接続され、給湯機から浴槽へ供給される湯から伝達される熱を利用して浴室の床暖房を行う浴室床暖房装置が提案されている（例えば特許文献１参照）。特許文献１に記載された浴室床暖房装置によれば、利用者の足元が暖められるため、その分、利用者の快適性が向上する。但し、洗い場の床に設置された床暖房装置からの輻射熱により利用者の上半身を暖めることが難しい。従って、利用者のヒートショックを抑制するためには、更に、浴室全体を暖める必要がある。
【０００３】
しかしながら、浴室における浴室床暖房装置が設置される洗い場の床面積は狭いことが多い。また、洗い場の床は、利用者が直に触れるところであるため、その上限温度も抑制される。このため、浴室全体を暖めるためにはある程度の時間が必要となり、利用者の利便性が損なわれる虞がある。
【０００４】
これに対して、風呂釜から供給される湯と空気との間で熱交換を行う熱交換器と、熱交換器により湯との間で熱交換されることにより温められた空気を浴室全体へ送るための送風ファンと、を備える給湯機能付き浴室暖房装置が提案されている（例えば特許文献２参照）。
【先行技術文献】
【特許文献】
【０００５】
【特許文献１】特開２０００−２８３４８５号公報
【特許文献２】特開２００２−１３０７１３号公報
【発明の概要】
【発明が解決しようとする課題】
【０００６】
しかしながら、特許文献２に記載された給湯機能付き浴室暖房装置の場合、浴室暖房装置から送られる温風が直接利用者の体に当たってしまうことがある。この場合、利用者は、体に直接当たる風がたとえ暖かくても却って寒さを感じてしまう虞がある。
【０００７】
本発明は上記事由に鑑みてなされたものであり、利用者の利便性向上を図りつつ、利用者へのヒートショックを抑制することができる浴室内空気調和システム、制御装置、浴室内空気調和方法およびプログラムを提供することを目的とする。
【課題を解決するための手段】
【０００８】
上記目的を達成するため、本発明に係る浴室内空気調和システムは、
給湯機と、
浴室の床に埋設され前記給湯機から供給される湯水が循環する第１循環パイプと、
前記浴室における壁と天井との少なくとも１つに埋設され前記給湯機から供給される湯水が循環する第２循環パイプと、
前記床の第１温度を検出する第１温度センサと、
前記浴室における前記壁と前記天井との少なくとも１つの第２温度を検出する第２温度センサと、
前記第１温度と前記第２温度とに基づいて、前記給湯機に対して前記第２循環パイプへ湯水の供給を開始するよう指示する第１給湯開始指示情報、または、前記給湯機に対して前記第２循環パイプへの湯水の供給を休止するよう指示する給湯休止指示情報を生成する指示情報生成部と、を備える。
【発明の効果】
【０００９】
本発明によれば、浴室の床に埋設された第１循環パイプと、浴室における壁と天井との少なくとも１つに埋設された第２循環パイプと、を備える。そして、指示情報生成部が、床の第１温度と壁と天井との少なくとも１つの第２温度とに基づいて、給湯機に対して第１給湯開始指示情報または給湯休止指示情報を生成する。これにより、浴室の床からの輻射熱のみならず、浴室の壁と天井との少なくとも一方からの輻射熱により、浴室内を適切な温度まで効率的に暖めることができるので、浴室内を暖めるのに必要な時間を短縮でき、利用者の利便性を向上させることができるとともに、利用者へのヒートショックを抑制することができる。
【図面の簡単な説明】
【００１０】
【図１】本発明の実施の形態１に係る浴室内空気調和システムの一例を示す斜視図
【図２】実施の形態１に係る浴室内空気調和システムの概略構成図
【図３】実施の形態１に係る壁埋設伝熱パネルを示し、（Ａ）は斜視図、（Ｂ）は（Ａ）のＡ−Ａ線における断面矢視図
【図４】実施の形態１に係る操作機器の一例を示す正面図
【図５】実施の形態１に係る制御装置の構成を示すブロック図
【図６】実施の形態１に係る制御装置が実行する浴室内空気調和処理の流れの一例を示すフローチャート
【図７】実施の形態１に係る制御装置が実行する浴室内空気調和処理の流れの一例を示すフローチャート
【図８】実施の形態１に係る制御装置が実行する目標温度設定処理の流れの一例を示すフローチャート
【図９】実施の形態２に係る浴室内空気調和システムの概略構成図
【図１０】実施の形態２に係る操作機器の一例を示す正面図
【図１１】実施の形態２に係る制御装置の構成を示すブロック図
【図１２】実施の形態２に係る制御装置が実行する浴室内空気調和処理の流れの一例を示すフローチャート
【図１３】実施の形態２に係る制御装置が実行する浴室内空気調和処理の流れの一例を示すフローチャート
【図１４】変形例に係る浴室内空気調和システムの概略構成図
【発明を実施するための形態】
【００１１】
以下、本発明の各実施の形態に係る浴室内空気調和システムについて、図面を参照しながら説明する。
【００１２】
（実施の形態１）
本実施の形態に係る浴室内空気調和システムは、給湯機と、浴室の床に埋設され給湯機から供給される湯水が循環する第１循環パイプと、浴室の壁に埋設され給湯機から供給される湯水が循環する第２循環パイプと、を備える。ここで、第１循環パイプと第２循環パイプとは、給湯機から供給される湯水が第１循環パイプを流れた後、第２循環パイプを流れてから給湯機へ戻るように配管されている。また、本実施の形態に係る浴室内空気調和システムは、床の第１温度を検出する第１温度センサと、浴室の壁の第２温度を検出する第２温度センサと、第１温度と第２温度とに基づいて、給湯機に対して第１循環パイプへ湯水の供給を開始するよう指示する第１給湯開始指示情報、または、給湯機に対して第１循環パイプへの湯水の供給を休止するよう指示する給湯休止指示情報を生成する制御装置と、を備える。
【００１３】
本実施の形態に係る浴室内空気調和システムは、例えば図１に示すような、浴槽３とカラン４とを備えた浴室Ｒに設置される。この浴室内空気調和システムは、湯を沸き上げる給湯機２と、浴室Ｒの壁ＷＡに埋設された壁埋設伝熱パネル６と、浴室Ｒの洗い場の床ＦＬに埋設された床埋設伝熱パネル５と、を備え、給湯機２から吐出される湯水が、壁埋設伝熱パネル６および床埋設伝熱パネル５に設けられた循環経路を流れる間に壁ＷＡおよび床ＦＬと熱交換して壁ＷＡ、床ＦＬを暖めることにより、浴室Ｒ内の空気の温度を調整する。なお、壁埋設伝熱パネル６および床埋設伝熱パネル５に設けられた循環経路は、給湯機２から浴槽３、カラン４、キッチン（図示せず）等への給湯経路と独立させてもよい。この場合、給湯機２から壁埋設伝熱パネル６および床埋設伝熱パネル５への湯水の供給に起因した、浴槽への湯張り、キッチンでの水仕事等への影響を低減することができる。また、この空気調和システムは、床ＦＬの温度を検出する温度センサ７１と、壁ＷＡの温度を検出する温度センサ７２と、ユーザにより操作される操作機器８と、操作機器８が受け付けた操作内容に応じて給湯機２を制御する制御装置１と、を備える。
【００１４】
給湯機２は、電気、ガス等をエネルギ源として水道水を加熱し、浴室Ｒを備える住戸内へ湯水を供給する。なお、給湯機２としては、貯湯タンクを有する貯湯式給湯機であってもよいし、瞬間湯沸し式給湯機であってもよい。但し、エネルギ効率の観点からすれば、給湯機２は、湯水の沸き上げにヒートポンプを利用することができる貯湯式給湯機であることが好ましい。給湯機２が、貯湯式給湯機であれば、例えば太陽光発電システムと連携して日中に沸き上げた湯水を貯湯タンクに貯湯しておき、夜間に貯湯タンクに貯えられた湯水を使用することができるので、再生可能エネルギの有効活用の観点からも好ましい。給湯機２が、貯湯式給湯機である場合、貯湯タンクに貯えられた湯水の温度は８０℃以上の高温で維持されている。そして、給湯機２は、給湯時に、適宜、貯湯タンクに貯えられた湯水よりも低温の水道水を加えることにより湯水の温度を調節する。一方、給湯機２が、瞬間湯沸し式給湯機の場合、湯水の基となる水の加熱度合いを変化させることにより湯水の温度を調節する。
【００１５】
また、給湯機２は、図２に示すように、給湯パイプ９３１を介して循環パイプ６１０に接続されるとともに、環流パイプ９５１を介して循環パイプ５１０に接続されている。また、給湯機２は、浴槽３、カラン４、キッチン等の住戸内の他の設備への給湯経路に給湯パイプ（図示せず）を介して接続されている。そして、給湯機２は、給湯パイプを介して住戸内の他の設備へ給湯する。給湯機２は、制御装置１から給湯開始指示情報を受信すると、循環パイプ６１０、５１０への給湯を開始し、制御装置１から給湯休止指示情報を受信すると、循環パイプ６１０、５１０への給湯を一時的に休止する。更に、給湯機２は、制御装置１から給湯温度情報を受信すると、循環パイプ６１０、５１０へ供給する湯水の温度を給湯温度情報が示す給湯温度となるように調節する。また、給湯機２は、制御装置１から動作停止指示情報を受信すると、その動作を停止する。なお、本明細書では、給湯機２からの給湯を一時的に止めることを「休止」と称し、給湯機２の動作を止めることを「停止」と称する。
【００１６】
壁埋設伝熱パネル６は、図２に示すように、給湯機２から供給される湯水が循環する循環パイプ６１０と、循環パイプ６１０から壁ＷＡへ熱を伝達するための伝熱板６１２と、を有する。伝熱板６１２は、矩形板状であり、その材料は、例えばアルミニウムのような熱伝導率の高い金属である。循環パイプ６１０は、給湯パイプ９３１を介して給湯機２に接続された第２循環パイプである。また、壁埋設伝熱パネル６は、図３（Ａ）および（Ｂ）に示すように、全体として扁平な矩形箱状の形状を有し、伝熱板６１２側が浴室Ｒ内側となるように壁ＷＡに埋設されている。また、壁埋設伝熱パネル６は、伝熱板６１２における循環パイプ６１０側を覆うように配設された断熱材６１６を有する。これにより、伝熱板６１２から浴室Ｒ内側とは反対側への熱の散逸が抑制されている。循環パイプ６１０は、例えばアルミニウムのような熱伝導率の高い金属から管状に形成されている。循環パイプ６１０は、伝熱板６１２の厚さ方向における一面側に配設され、長尺の導水管６１３と、導水管６１３の長手方向に沿って並列し一端部で導水管６１３に連通する複数の長尺の伝熱管６１５と、長尺であり複数の伝熱管６１５それぞれの他端部に連通する排水管６１４と、を有する。導水管６１３には、給湯パイプ９３１に接続されている。また、図３（Ｂ）に示すように、伝熱管６１５と伝熱板６１２との間には、断熱材６１６が介在しておらず、互いに熱的に結合している。
【００１７】
図２に戻って、床埋設伝熱パネル５は、壁埋設伝熱パネル６と同様の構成であり、給湯機２から供給される湯水が循環する循環パイプ５１０と、循環パイプ５１０から床ＦＬへ熱を伝達するための伝熱板５１２と、を有する。伝熱板５１２の材料および形状並びに循環パイプ５１０の材料は、伝熱板６１２および循環パイプ６１０と同様である。循環パイプ５１０は、接続パイプ９４１を介して壁埋設伝熱パネル６に接続されるとともに、環流パイプ９５１を介して給湯機２に接続された第１循環パイプである。また、床埋設伝熱パネル５も、全体として扁平な矩形箱状の形状を有し、伝熱板５１２における循環パイプ５１０側を覆うように配設された断熱部材（図示せず）を有する。
【００１８】
ここで、給湯機２から給湯パイプ９３１へ供給された湯水は、壁埋設伝熱パネル６の循環パイプ６１０、接続パイプ９４１、床埋設伝熱パネル５の循環パイプ５１０、環流パイプ９５１の順に流れて給湯機２へ戻る。つまり、循環パイプ６１０、５１０は、給湯機２から供給される湯水が循環パイプ６１０を流れた後、循環パイプ５１０を流れてから給湯機２へ戻るように配管されている。
【００１９】
温度センサ７１は、浴室Ｒの床ＦＬに埋設された第１温度センサである。温度センサ７１は、床ＦＬの表面近傍であり且つ床埋設伝熱パネル５の伝熱板５１２と接触しない位置に配置されている。温度センサ７２は、浴室Ｒの壁ＷＡに埋設された第２温度センサである。温度センサ７２は、壁ＷＡの表面近傍であり且つ壁埋設伝熱パネル６の伝熱板６１２と接触しない位置に配置されている。
【００２０】
操作機器８は、例えば図４に示すように、利用者により操作されるプッシュスイッチ８１と、浴室Ｒの床ＦＬの目標温度或いは時刻を表示する表示画面８２と、を有する。この操作機器８は、例えば図１に示すように、浴室Ｒの壁ＷＡに設置される。図４に示す例では、表示画面８２には、現在の床ＦＬの温度を示す情報ＩＮ１と、現在時刻を示す情報ＩＮ２と、使用者が設定した床ＦＬの目標温度を示す情報ＩＮ３と、タイマが動作する時刻を示す情報ＩＮ４と、が表示されている。そして、利用者は、プッシュスイッチ８１を操作することにより、浴室内空気調和システムの動作開始、動作停止、床ＦＬの目標温度の設定或いはタイマが動作する時刻の設定を行うことができる。
【００２１】
制御装置１は、浴室Ｒを備える住戸内の適切な場所に設置され、操作機器８および温度センサ７１、７２から入力される各種を収集するとともに、給湯機２の動作を制御する。制御装置１は、図５に示すように、ＣＰＵ（Central Processing Unit）１０１と、主記憶部１０２と、補助記憶部１０３と、通信インタフェース１０４と、これらを互いに接続するバス１０９と、を備える。主記憶部１０２は、ＣＰＵ１０１の作業領域として使用される。補助記憶部１０３は、例えば、フラッシュメモリ、ＥＰＲＯＭ（Erasable Programmable Read Only Memory）、ＥＥＰＲＯＭ（Electrically Erasable Programmable Read Only Memory）等の不揮発性の半導体メモリまたはＨＤＤ（Hard Disk Drive）である。補助記憶部１０３は、ＣＰＵ１０１が各種処理を実行するためのプログラムを記憶する。通信インタフェース１０４は、給湯機２、温度センサ７１、７２と通信する。
【００２２】
ＣＰＵ１０１は、補助記憶部１０３が記憶するプログラムを主記憶部１０２に読み出して実行することにより、温度取得部１１１、判定部１１２、温度差算出部１１３、指示情報生成部１１４、送信部１１５、目標温度更新部１１６、フラグ管理部１１７および計時部１１８として機能する。また、補助記憶部１０３は、床ＦＬを暖める際の予め設定された目標温度を示す目標温度情報を記憶する目標温度記憶部１３１と、床ＦＬの温度に対する第１基準温度を示す第１基準温度情報並びに壁ＷＡの温度に対する第２基準温度を示す第２基準温度情報を記憶する基準情報記憶部１３２と、を有する。また、基準情報記憶部１３２は、床ＦＬの目標温度の下限である目標下限温度を示す目標下限温度情報も記憶する。
【００２３】
ここで、第１基準温度および第２基準温度は、利用者が例えば２０分間床ＦＬに接触した状態を維持してもいわゆる低温やけどを起こさない程度の温度範囲の温度に設定される。また、床ＦＬに接触する皮膚の温度と利用者の皮膚が低温やけどを起こすまでの時間との関係は、例えば皮膚の温度が４４℃の場合、３〜４時間、４６℃の場合、３０分〜１時間、５０℃の場合、２分〜３分と報告されている（非特許文献：山田幸生,  「低温やけどについて」,  製品安全協会,  「製品と安全」,  第７２号  参照）。このことから、第１基準温度は、例えば４８℃に設定され、第２基準温度は、例えば５０℃に設定される。床ＦＬは、壁ＷＡに比べて利用者が接触している時間が長いため、第１基準温度は、第２基準温度よりも低く設定されている。また、基準情報記憶部１３２は、給湯機２へ給湯開始指示情報を送信した後の待機時間を示す待機時間情報を記憶する。この待機時間は、浴室Ｒの壁ＷＡまたは床ＦＬの温度が安定するまでに要する時間に基づいて設置され、例えば３〜５分程度に設定される。なお、この待機時間は、浴室Ｒの大きさ或いは浴室Ｒが設置された環境に併せて適宜増減してもよい。
【００２４】
また、目標温度候補記憶部１２２は、操作機器８から入力された目標温度情報を一時的に記憶する。フラグ記憶部１２１は、目標温度候補記憶部１２２に目標温度情報が記憶されたか否かを示すフラグ情報を記憶する。このフラグ情報は、初期値が「Ｆ０」に設定され、操作機器８から入力された目標温度情報が新たに目標温度候補記憶部１２２に記憶された場合、「Ｆ１」に更新される。そして、フラグ情報は、目標温度記憶部１３１が記憶する目標温度が、目標温度候補記憶部１２２が記憶する目標温度情報で更新されると、「Ｆ０」に更新される。
【００２５】
温度取得部１１１は、温度センサ７１から床ＦＬの温度である第１温度を示す第１温度情報を取得するとともに、温度センサ７２から壁ＷＡの温度である第２温度を示す第２温度情報を取得する。
【００２６】
計時部１１８は、例えば、主記憶部１０２が記憶する計時用のカウント値情報を、予め設定された単位時間毎に「１」だけデクリメントする形で更新するソフトウェアダウンカウンタであり、制御装置１が浴室内空気調和処理を開始してからの経過時間を計時する。単位時間は、例えば制御装置１に内蔵されたクロック生成部（図示せず）から出力されるクロック信号の１周期の整数倍に設定される。計時部１１８は、制御装置１が浴室内空気調和処理を開始すると同時に、主記憶部１０２が記憶する計時用のカウント値情報を、予め設定された初期値に設定する。そして、計時部１１８は、計時用のカウント値情報が示すカウント値が「０」になると、給湯機２の動作を強制的に停止させるためのカウントアップ情報を指示情報生成部１１４へ通知する。
【００２７】
判定部１１２は、目標温度記憶部１３１が記憶する目標温度情報を取得し、床ＦＬの温度が、取得した目標温度情報が示す目標温度未満であるか否かを判定する。また、判定部１１２は、基準情報記憶部１３２が記憶する第１基準温度情報および第２基準温度情報を取得し、床ＦＬの温度が、取得した第１基準温度情報が示す第１基準温度未満であり、且つ、壁ＷＡの温度が、取得した第２基準温度情報が示す第２基準温度未満であるか否かを判定する。更に、判定部１１２は、基準情報記憶部１３２から待機時間情報を取得し、送信部１１５が給湯開始指示情報を給湯機２へ送信した後の経過時間が待機時間情報の示す待機時間に一致するか否かを判定する。また、判定部１１２は、温度差算出部１１３が算出した、床ＦＬの温度と前述の目標温度との温度差が０℃よりも高いか否かを判定する。
【００２８】
温度差算出部１１３は、目標温度記憶部１３１が記憶する目標温度情報を取得し、温度取得部１１１が取得した第１温度情報が示す床ＦＬの第１温度と、取得した目標温度情報が示す目標温度との温度差を算出する。具体的には、温度差算出部１１３は、目標温度から第１温度を差し引いて得られる値を算出する。そして、温度差算出部１１３は、算出した値の整数部分を温度差とする。例えば目標温度から第１温度を差し引いて得られる値が「３．２℃」である場合、「３」を温度差とし、「５．６℃」である場合、「５」を温度差とする。
【００２９】
指示情報生成部１１４は、第１温度情報が示す床ＦＬの温度と第２温度情報が示す壁ＷＡの温度とに基づいて、給湯開始指示情報または給湯休止指示情報を生成する。具体的には、指示情報生成部１１４は、判定部１１２により床ＦＬの温度が目標温度未満であると判定されると、給湯開始指示情報を生成する。また、指示情報生成部１１４は、判定部１１２により床ＦＬの温度が第１基準温度未満であり且つ壁ＷＡの温度が第２基準温度未満であると判定されると、給湯開始指示情報を生成する。一方、指示情報生成部１１４は、判定部１１２により床ＦＬの温度が第１基準温度以上である、または、壁ＷＡの温度が第２基準温度以上であると判定されると、給湯開始指示情報の生成を回避する。ここで、給湯開始指示情報は、給湯機２に対して循環パイプ６１０へ湯水の供給を開始するよう指示する第１給湯開始指示情報である。また、給湯休止指示情報は、給湯機２に対して循環パイプ６１０への湯水の供給を休止するよう指示する第１給湯休止指示情報である。
【００３０】
また、指示情報生成部１１４は、給湯機２から循環パイプ６１０へ供給する湯水の温度を指示する給湯温度情報を生成する。ここで、指示情報生成部１１４は、温度差算出部１１３により算出された、床ＦＬの温度と目標温度との温度差に基づいて、給湯機２から循環パイプ６１０、５１０へ供給される湯水の温度を指定する給湯温度情報を生成する。具体的には、指示情報生成部１１４は、予め設定された給湯温度に、温度差算出部１１３により算出された温度差を足して得られる温度を新たな給湯温度として再設定する。そして、指示情報生成部１１４は、給湯機２から循環パイプ６１０、５１０へ供給される湯水の温度を、再設定された給湯温度に指定する給湯温度情報を生成する。
【００３１】
更に、指示情報生成部１１４は、計時部１１８から前述のカウントアップ情報が通知されると、給湯機２を強制的に停止させる強制停止時期が到来したと判定し、動作停止指示情報を生成する。また、指示情報生成部１１４は、操作機器８から動作停止指令情報が入力された場合も、動作停止指示情報を生成する。
【００３２】
送信部１１５は、指示情報生成部１１４が生成した給湯開始指示情報、給湯休止指示情報、給湯温度情報または動作停止指示情報を給湯機２へ送信する。
【００３３】
目標温度更新部１１６は、操作機器８から目標温度情報が入力されると、基準情報記憶部１３２から第１基準温度情報と目標下限温度情報とを取得する。そして、目標温度更新部１１６は、目標温度情報が示す目標温度が、第１基準温度情報が示す第１基準温度未満であり且つ目標下限温度情報が示す目標下限温度よりも高いか否かを判定する。そして、目標温度更新部１１６は、目標温度が第１基準温度未満であり且つ目標下限温度よりも高い場合、操作機器８から入力された目標温度情報を目標温度候補記憶部１２２に記憶させる。そして、目標温度更新部１１６は、予め設定されたタイミングで、目標温度記憶部１３１が記憶する目標温度情報を、目標温度候補記憶部１２２が記憶する目標温度情報で更新する。
【００３４】
フラグ管理部１１７は、目標温度更新部１１６が、操作機器８から入力された目標温度情報を目標温度候補記憶部１２２に記憶させると、フラグ記憶部１２１が記憶するフラグ情報を更新する。また、フラグ管理部１１７は、目標温度更新部１１６が、目標温度記憶部１３１が記憶する目標温度情報を、目標温度候補記憶部１２２が記憶する目標温度情報で更新すると、フラグ記憶部１２１が記憶するフラグ情報を更新する。
【００３５】
次に、本実施の形態に係る制御装置１が実行する浴室内空気調和処理について図６および図７を参照しながら説明する。この浴室内空気調和処理は、例えば利用者が操作機器８を介して浴室内空気調和処理を開始するための操作が行われたことを契機として開始される。まず、温度取得部１１１は、温度センサ７１から床ＦＬの温度を示す第１温度情報を取得するとともに、温度センサ７２から壁ＷＡの温度を示す第２温度情報を取得する（ステップＳ１０１）。次に、判定部１１２は、基準情報記憶部１３２が記憶する第２基準温度情報を取得し、壁ＷＡの温度Ｔｗが、取得した第２基準温度情報が示す第２基準温度Ｔｗｂ未満であるか否かを判定する（ステップＳ１０２）。ここで、判定部１１２により壁ＷＡの温度Ｔｗが、第２基準温度Ｔｗｂ以上であると判定されたとする（ステップＳ１０２：Ｎｏ）。この場合、指示情報生成部１１４が、前述の給湯休止指示情報を生成し、送信部１１５が、生成された給湯休止指示情報を給湯機２へ送信する（ステップＳ１０３）。このとき、給湯機２は、循環パイプ６１０への給湯中である場合、循環パイプ６１０への給湯を休止し、循環パイプ６１０への給湯を休止している場合はその状態を維持する。続いて、後述する図７のステップＳ１２２の処理が実行される。
【００３６】
図６に戻って、一方、判定部１１２により、壁ＷＡの温度Ｔｗが、第２基準温度Ｔｗｂ未満であると判定されたとする（ステップＳ１０２：Ｙｅｓ）。この場合、判定部１１２は、基準情報記憶部１３２が記憶する第１基準温度情報を取得し、床ＦＬの温度Ｔｆが、取得した第１基準温度情報が示す第１基準温度Ｔｆｂ未満であるか否かを判定する（ステップＳ１０４）。判定部１１２が、床ＦＬの温度Ｔｆが第１基準温度Ｔｆ以上であると判定すると（ステップＳ１０４：Ｎｏ）、前述のステップＳ１０３の処理が実行される。このようにして、判定部１１２により、床ＦＬの温度と壁ＷＡの温度との両方を監視し、どちらかの温度が過度に上昇した場合には、給湯機２から循環パイプ６１０、５１０への湯水の供給を休止する。これにより、利用者がいわゆる低温やけどを被ることを抑制している。
【００３７】
一方、判定部１１２は、床ＦＬの温度Ｔｆが第１基準温度Ｔｆ未満であると判定すると（ステップＳ１０４：Ｙｅｓ）、目標温度記憶部１３１が記憶する目標温度情報を取得し、床ＦＬの温度Ｔｆが、取得した目標温度情報が示す目標温度Ｔｔ未満であるか否かを判定する（ステップＳ１０５）。判定部１１２が、床ＦＬの温度Ｔｆが目標温度Ｔｔ以上であると判定すると（ステップＳ１０５：Ｎｏ）、前述のステップＳ１０３の処理が実行される。
【００３８】
一方、判定部１１２により、床ＦＬの温度Ｔｆが目標温度Ｔｔ未満であると判定されたとする（ステップＳ１０５：Ｙｅｓ）。この場合、指示情報生成部１１４は、給湯機２から循環パイプ６１０へ供給する湯水の温度を指示する給湯温度情報を生成し、送信部１１５が、生成された給湯温度情報を給湯機２へ送信する（ステップＳ１０６）。ここで、給湯温度情報は、給湯機２から循環パイプ６１０へ供給する湯水の温度を目標温度とするように指示するための情報である。その後、指示情報生成部１１４は、前述の給湯開始指示情報を生成し、送信部１１５が、生成された給湯開始指示情報を送信する（ステップＳ１０７）。次に、判定部１１２は、基準情報記憶部１３２から待機時間情報を取得し、送信部１１５が給湯開始指示情報を給湯機２へ送信した後の経過時間が待機時間情報の示す待機時間に一致したか否かを判定する（ステップＳ１０８）。判定部１１２は、送信部１１５が給湯開始指示情報を給湯機２へ送信した後の経過時間が前述の待機時間に一致しない限り（ステップＳ１０８：Ｎｏ）、ステップＳ１０８の処理を繰り返し実行する。
【００３９】
一方、判定部１１２により、送信部１１５が給湯開始指示情報を給湯機２へ送信した後の経過時間が前述の待機時間に一致したと判定されると（ステップＳ１０８：Ｙｅｓ）、温度取得部１１１は、ステップＳ１０１と同様に、温度センサ７１から第１温度情報を取得するとともに、温度センサ７２から第２温度情報を取得する（ステップＳ１０９）。続いて、判定部１１２は、ステップＳ１０２と同様に、壁ＷＡの温度Ｔｗが、第２基準温度Ｔｗｂ未満であるか否かを判定する（ステップＳ１１０）。第２基準温度Ｔｗｂは、例えば５０℃に設定される。ここで、判定部１１２により壁ＷＡの温度Ｔｗが、第２基準温度Ｔｗｂ以上であると判定されると（ステップＳ１１０：Ｎｏ）、前述のステップＳ１０３の処理が実行される。一方、判定部１１２により、壁ＷＡの温度Ｔｗが、第２基準温度Ｔｗｂ未満であると判定されたとする（ステップＳ１１０：Ｙｅｓ）。この場合、判定部１１２は、前述のステップＳ１０４と同様に、床ＦＬの温度Ｔｆが、第１基準温度Ｔｆｂ未満であるか否かを判定する（ステップＳ１１１）。第１基準温度Ｔｆｂは、例えば４８℃に設定される。判定部１１２が、床ＦＬの温度Ｔｆが第１基準温度Ｔｆ以上であると判定すると（ステップＳ１１１：Ｎｏ）、前述のステップＳ１０３の処理が実行される。一方、判定部１１２は、床ＦＬの温度Ｔｆが第１基準温度Ｔｆ未満であると判定すると（ステップＳ１１１：Ｙｅｓ）、前述のステップＳ１０５と同様に、床ＦＬの温度Ｔｆが、目標温度Ｔｔ未満であるか否かを判定する（ステップＳ１１２）。判定部１１２が、床ＦＬの温度Ｔｆが目標温度Ｔｔ以上であると判定すると（ステップＳ１１２：Ｎｏ）、前述のステップＳ１０３の処理が実行される。
【００４０】
一方、判定部１１２により、床ＦＬの温度Ｔｆが目標温度Ｔｔ未満であると判定されたとする（ステップＳ１１２：Ｙｅｓ）。この場合、温度差算出部１１３が、図７に示すように、目標温度記憶部１３１が記憶する目標温度情報を取得し、温度取得部１１１が取得した第１温度情報が示す床ＦＬの第１温度と、取得した目標温度情報が示す目標温度との温度差を算出する（ステップＳ１１３）。次に、指示情報生成部１１４は、温度差算出部１１３が算出した温度差ΔＴが０℃よりも高いか否かを判定する（ステップＳ１１４）。判定部１１２により温度差算出部１１３が算出した温度差ΔＴが０℃以下であると判定されると（ステップＳ１１４：Ｎｏ）、後述するステップＳ１１７の処理が実行される。一方、判定部１１２により温度差算出部１１３が算出した温度差ΔＴが、０℃よりも高いと判定されたとする（ステップＳ１１４：Ｙｅｓ）。この場合、指示情報生成部１１４は、予め設定された給湯温度に、温度差算出部１１３が算出した温度差ΔＴを足して得られる温度を新たな給湯温度として再設定する（ステップＳ１１５）。そして、指示情報生成部１１４は、給湯機２から循環パイプ６１０、５１０へ供給される湯水の温度を、新たな給湯温度に指定する給湯温度情報を生成する。そして、送信部１１５が、生成された給湯温度情報を給湯機２へ送信する（ステップＳ１１６）。
【００４１】
続いて、指示情報生成部１１４は、給湯機２が給湯休止中であるか否かを判定する（ステップＳ１１７）。ここで、指示情報生成部１１４は、給湯休止指示情報が既に給湯機２へ送信されており、その後、給湯開始指示情報が給湯機２へ送信されていない場合、給湯機２が休止中であると判定する。指示情報生成部１１４が、給湯機２が休止中でないと判定すると（ステップＳ１１７：Ｎｏ）、そのまま後述するステップＳ１１９の処理が実行される。一方、指示情報生成部１１４は、給湯機２が休止中であると判定すると（ステップＳ１１７：Ｙｅｓ）、給湯開始指示情報を生成する。そして、送信部１１５が、生成された給湯開始指示情報を給湯機２へ送信する（ステップＳ１１８）。
【００４２】
その後、目標温度更新部１１６は、フラグ記憶部１２１が記憶するフラグ情報の内容が「Ｆ１」であるか否かを判定する（ステップＳ１１９）。目標温度更新部１１６によりフラグ情報の内容が「Ｆ０」であると判定されると（ステップＳ１１９：Ｎｏ）、後述するステップＳ１２２の処理が実行される。一方、目標温度更新部１１６は、フラグ情報の内容が「Ｆ１」であると判定すると（ステップＳ１１９：Ｙｅｓ）、目標温度記憶部１３１が記憶する目標温度情報を、目標温度候補記憶部１２２が記憶する目標温度情報で更新する（ステップＳ１２０）。次に、フラグ管理部１１７は、フラグ記憶部１２１が記憶するフラグ情報の内容を「Ｆ０」に更新する（ステップＳ１２１）。
【００４３】
続いて、指示情報生成部１１４は、操作機器８から動作停止指令情報の入力が有ったか否かを判定する（ステップＳ１２２）。指示情報生成部１１４は、動作停止指令情報の入力が有ったと判定すると（ステップＳ１２２：Ｙｅｓ）、後述のステップＳ１２４の処理を実行する。一方、指示情報生成部１１４は、動作停止指令情報の入力が無いと判定すると（ステップＳ１２２：Ｎｏ）、給湯機２の動作を強制的に停止させる強制停止時期が到来したか否かを判定する（ステップＳ１２３）。ここで、指示情報生成部１１４は、計時部１１８から前述のカウントアップ情報が通知されている場合、強制停止時期が到来したと判定する。指示情報生成部１１４が、給湯機２を強制的に停止させる強制停止時期が未だ到来していないと判定すると（ステップＳ１２３：Ｎｏ）、再びステップＳ１０８の処理が実行される。一方、指示情報生成部１１４は、強制停止時期が到来したと判定すると（ステップＳ１２３：Ｙｅｓ）、動作停止指示情報を生成する。そして、送信部１１５が、生成された動作停止情報を給湯機２へ送信し（ステップＳ１２４）、浴室内空気調和処理が終了する。
【００４４】
次に、本実施の形態に係る制御装置１が前述の浴室内空気調和処理と並行して実行する目標温度設定処理について図８を参照しながら説明する。この目標温度設定処理は、例えば前述の浴室内空気調和処理が開始されると同時に開始される。まず、目標温度更新部１１６は、操作機器８から目標温度情報が入力されたか否かを判定する（ステップＳ２０１）。目標温度更新部１１６は、操作機器８から目標温度情報が入力されない限り（ステップＳ２０１：Ｎｏ）、ステップＳ２０１の処理を繰り返し実行する。一方、目標温度更新部１１６が、操作機器８から目標温度情報が入力されたと判定したとする（ステップＳ２０１：Ｙｅｓ）。この場合、目標温度更新部１１６は、基準情報記憶部１３２から第１基準温度情報を取得し、目標温度情報が示す目標温度Ｔｔが、取得した第１基準温度情報が示す第１基準温度Ｔｆｂ未満であるか否かを判定する（ステップＳ２０２）。第１基準温度Ｔｆｂは、例えば４８℃に設定される。
【００４５】
目標温度更新部１１６は、目標温度が第１基準温度Ｔｆｂ以上であると判定すると（ステップＳ２０２：Ｎｏ）、再びステップＳ２０１の処理を実行する。一方、目標温度更新部１１６により目標温度が、第１基準温度Ｔｆｂ未満であると判定されたとする（ステップＳ２０２：Ｙｅｓ）。この場合、目標温度更新部１１６は、基準情報記憶部１３２から目標下限温度情報を取得し、目標温度情報が示す目標温度Ｔｔが、取得した目標下限温度情報が示す目標下限温度Ｔｔｌよりも高いか否かを判定する（ステップＳ２０３）。目標下限温度Ｔｔｌは、例えば２０℃に設定される。目標温度更新部１１６は、目標温度が目標下限温度Ｔｔｌ以下であると判定すると（ステップＳ２０３：Ｎｏ）、再びステップＳ２０１の処理を実行する。一方、目標温度更新部１１６は、目標温度が、目標下限温度Ｔｔｌよりも高いと判定すると（ステップＳ２０３：Ｙｅｓ）、主記憶部１０２の目標温度候補記憶部１２２が記憶する目標温度情報を更新する（ステップＳ２０４）。次に、フラグ管理部１１７は、フラグ記憶部１２１が記憶するフラグ情報の内容を「Ｆ１」に更新する（ステップＳ２０５）。その後、再びステップＳ２０１の処理が実行される。
【００４６】
以上説明したように、本実施の形態に係る浴室内空気調和システムによれば、浴室Ｒの床ＦＬに埋設された循環パイプ５１０と、浴室Ｒの壁ＷＡに埋設された循環パイプ６１０と、を備える。そして、指示情報生成部１１４が、床ＦＬの温度と壁ＷＡの温度とに基づいて、給湯機２に対して給湯開始指示情報または給湯休止指示情報を生成する。これにより、浴室Ｒの床ＦＬからの輻射熱のみならず、浴室Ｒの壁ＷＡからの輻射熱により、浴室Ｒ内を適切な温度まで効率的に暖めることができるので、浴室Ｒ内を暖めるのに必要な時間を短縮でき、利用者の利便性を向上させることができるとともに、利用者へのヒートショックを抑制することができる。
【００４７】
また、本実施の形態に係る循環パイプ５１０、６１０は、給湯機２から供給される湯水が循環パイプ６１０を流れた後、循環パイプ５１０を流れてから給湯機２へ戻るように配管されている。これにより、別途温度調節機構を設けることなく、循環パイプ５１０を流れる湯水の温度を、循環パイプ６１０を流れる湯水の温度に比べて低くなるように維持することができる。従って、浴室内空気調和システムの構成を簡素化することができる。
【００４８】
更に、本実施の形態に係る判定部１１２は、床ＦＬの温度が予め設定された目標温度未満であるか否かを判定し、指示情報生成部１１４は、判定部１１２により床ＦＬの温度が目標温度未満であると判定されると、給湯開始指示情報を生成する。また、判定部１１２は、床ＦＬの温度が予め設定された第１基準温度未満であり且つ壁ＷＡの温度が予め設定された第２基準温度未満であるか否かを判定する。そして、指示情報生成部１１４は、判定部１１２により床ＦＬの温度が第１基準温度未満であり且つ壁ＷＡの温度が第２基準温度未満であると判定されると、給湯開始指示情報を生成する。一方、指示情報生成部１１４は、判定部１１２により床ＦＬの温度が第１基準温度以上である、または、壁ＷＡの温度が第２基準温度以上であると判定されると、給湯開始指示情報の生成を回避する。これにより、床ＦＬまたは壁ＷＡの温度が過度に上昇することが抑制される。
【００４９】
また、本実施の形態に係る温度差算出部１１３は、床ＦＬの温度と目標温度との温度差を算出し、指示情報生成部１１４が、算出された温度差に基づいて、給湯機２から循環パイプ６１０、５１０へ供給される湯水の温度を指定する給湯温度情報を生成する。これにより、給湯機２から循環パイプ６１０、５１０へ床ＦＬの温度を目標温度に効率良く近づけるのに適した温度の湯水が供給されるので、床ＦＬの温度を目標温度で維持され易くなる。
【００５０】
（実施の形態２）
本実施の形態に係る浴室内空気調和システムは、壁に埋設された循環パイプへ流す湯水の温度と、床に埋設された循環パイプへ流す湯水の温度と、を各別に調節する点が実施の形態１に係る浴室内空気調和システムと相違する。
【００５１】
図９に示すように、本実施の形態に係る給湯機２００２は、給湯機２と同様に、電気、ガス等をエネルギ源として水道水を加熱し、浴室Ｒを備える住戸内へ湯水を供給する。なお、図９において、実施の形態１と同様の構成については図２と同一の符号を付している。給湯機２００２は、給湯パイプ２９３２および環流パイプ２９５２を介して循環パイプ６１０に接続されるとともに、給湯パイプ２９３３および環流パイプ２９５３を介して循環パイプ５１０に接続されている。つまり、循環パイプ６１０は、給湯機２００２から供給される湯水が循環パイプ６１０を流れた後、給湯機２へ戻るように配管され、循環パイプ５１０は、給湯機２００２から供給される湯水が循環パイプ５１０を流れた後、給湯機２００２へ戻るように配管されている。
【００５２】
また、給湯機２００２は、制御装置２００１から、循環パイプ６１０へ湯水の供給を開始するよう指示する第１給湯開始指示情報を受信すると、循環パイプ６１０への給湯を開始し、制御装置２００１から、循環パイプ６１０へ湯水の供給を休止するよう指示する第１給湯休止指示情報を受信すると、循環パイプ６１０への給湯を一時的に休止する。また、給湯機２００２は、制御装置２００１から、循環パイプ５１０へ湯水の供給を開始するよう指示する第２給湯開始指示情報を受信すると、循環パイプ５１０への給湯を開始し、制御装置２００１から、循環パイプ５１０へ湯水の供給を休止するよう指示する第２給湯休止指示情報を受信すると、循環パイプ５１０への給湯を一時的に休止する。更に、給湯機２００２は、制御装置２００１から、給湯機２００２から循環パイプ５１０へ供給される湯水の温度を指定する第１給湯温度情報を受信すると、循環パイプ５１０へ供給する湯水の温度を第１給湯温度情報が示す給湯温度となるように調節する。また、給湯機２００２は、制御装置２００１から、給湯機２００２から循環パイプ６１０へ供給される湯水の温度を指定する第２給湯温度情報を受信すると、循環パイプ６１０へ供給する湯水の温度を第２給湯温度情報が示す給湯温度となるように調節する。また、給湯機２００２は、制御装置１から動作停止指示情報を受信すると、その動作を停止する。
【００５３】
操作機器２００８は、例えば図１０に示すように、利用者により操作されるプッシュスイッチ８１と、浴室Ｒの床ＦＬの目標温度或いは時刻を表示する表示画面８２と、を有する。この操作機器８は、例えば図１に示すように、浴室Ｒの壁ＷＡに設置される。図１０に示す例では、表示画面８２には、現在の床ＦＬの温度を示す情報ＩＮ１２と、現在の壁ＷＡの温度を示す情報ＩＮ１１と、現在時刻を示す情報ＩＮ２と、使用者が設定した床ＦＬの目標温度を示す情報ＩＮ３２と、使用者が設定した壁ＷＡの目標温度を示す情報ＩＮ３１と、タイマが動作する時刻を示す情報ＩＮ４と、が表示されている。また、表示画面８２には、壁ＷＡに埋設された循環パイプ６１０への湯水の供給状況を示す情報ＩＮ５１と、床ＦＬに埋設された循環パイプ５１０への湯水の供給状況を示す情報ＩＮ５２と、が表示されている。ここで、給湯機２００２から壁ＷＡに埋設された循環パイプ６１０への湯水の供給が休止している場合、「壁面ＯＦＦ」と表示され、給湯機２００２から床ＦＬに埋設された循環パイプ５１０へ湯水が供給されている場合、「床面ＯＮ」と表示される。また、給湯機２００２から壁ＷＡに埋設された循環パイプ６１０への湯水の供給が休止している場合、壁ＷＡの目標温度を示す情報ＩＮ３１は、「−−℃」と表示される。そして、利用者は、プッシュスイッチ８１を操作することにより、浴室内空気調和システムの動作開始、動作停止、床ＦＬの目標温度の設定或いはタイマ動作時刻の設定を行うことができる。
【００５４】
制御装置２００１は、図１１に示すように、制御装置１と同様のハードウェア構成を有する。なお、図１１において、実施の形態１と同様の構成については図５と同一の符号を付している。そして、ＣＰＵ１０１は、補助記憶部１０３が記憶するプログラムを主記憶部１０２に読み出して実行することにより、温度取得部１１１、判定部２１１２、温度差算出部２１１３、指示情報生成部２１１４、送信部２１１５、目標温度更新部２１１６、フラグ管理部２１１７および計時部１１８として機能する。また、補助記憶部１０３は、目標温度記憶部２１３１と、基準情報記憶部２１３２と、を有する。目標温度記憶部２１３１は、床ＦＬの予め設定された目標温度を示す第１目標温度情報と、壁ＷＡの予め設定された目標温度を示す第２目標温度と、を記憶する。基準情報記憶部２１３１は、床ＦＬの温度に対する第１基準温度を示す第１基準温度情報と、壁ＷＡの温度に対する第２基準温度を示す第２基準温度情報と、を記憶する。また、基準情報記憶部２１３１は、床ＦＬの目標温度の下限である第１目標下限温度を示す第１目標下限温度情報と、壁ＷＡの目標温度の下限である第２目標下限温度を示す第２目標下限温度情報と、を記憶する。
【００５５】
目標温度候補記憶部２１２２は、操作機器８から入力された第１目標温度情報および第２目標温度情報を一時的に記憶する。フラグ記憶部２１２１は、目標温度候補記憶部２１２２に第１目標温度情報が記憶されたか否かを示す第１フラグ情報と、目標温度候補記憶部２１２２に第２目標温度情報が記憶されたか否かを示す第２フラグ情報と、を記憶する。この第１フラグ情報および第２フラグ情報は、それぞれ、初期値が「Ｆ０」に設定され、操作機器８から入力された第１目標温度情報または第２目標温度情報が新たに目標温度候補記憶部２１２２に記憶された場合、「Ｆ１」に更新される。そして、第１フラグ情報および第２フラグ情報は、それぞれ、目標温度記憶部２１３１が記憶する第１目標温度情報、第２目標温度情報が、目標温度候補記憶部２１２２が記憶する第１目標温度情報、第２目標温度情報で更新されると、「Ｆ０」に更新される。
【００５６】
判定部２１１２は、目標温度記憶部２１３１が記憶する第１目標温度情報を取得し、床ＦＬの温度が、取得した第１目標温度情報が示す目標温度未満であるか否かを判定する。また、判定部２１１２は、目標温度記憶部２１３１が記憶する第２目標温度情報を取得し、壁ＷＡの温度が、取得した第２目標温度情報が示す目標温度未満であるか否かを判定する。更に、判定部２１１２は、基準情報記憶部２１３２が記憶する第１基準温度情報を取得し、床ＦＬの温度が、取得した第１基準温度情報が示す第１基準温度未満であるか否かを判定する。また、判定部２１１２は、基準情報記憶部２１３２が記憶する第２基準温度情報を取得し、壁ＷＡの温度が、取得した第２基準温度情報が示す第２基準温度未満であるか否かを判定する。更に、判定部２１１２は、基準情報記憶部２１３２から待機時間情報を取得し、送信部２１１５が給湯開始指示情報を給湯機２００２へ送信した後の経過時間が待機時間情報の示す待機時間に一致したか否かを判定する。また、判定部２１１２は、温度差算出部２１１３が算出した床ＦＬの温度と第１目標温度との温度差が０℃よりも高いか否かを判定する。更に、判定部２１１２は、温度差算出部２１１３が算出した壁ＷＡの温度と第２目標温度との温度差が０℃よりも高いか否かを判定する。
【００５７】
温度差算出部２１１３は、目標温度記憶部２１３１が記憶する第１目標温度情報を取得し、床ＦＬの温度と第１目標温度情報が示す第１目標温度との温度差を算出する。また、温度差算出部２１１３は、目標温度記憶部２１３１が記憶する第２目標温度情報を取得し、壁ＷＡの温度と第２目標温度情報が示す第２目標温度との温度差を算出する。なお、温度差算出部２１１３は、実施の形態１に係る温度差算出部１１３と同様の方法により温度差を算出する。
【００５８】
指示情報生成部２１１４は、第１温度情報が示す床ＦＬの温度に基づいて、前述の第２給湯開始指示情報または前述の第２給湯休止指示情報を生成する。具体的には、指示情報生成部２１１４は、判定部２１１２により床ＦＬの温度が第１目標温度未満であると判定されると、第２給湯開始指示情報を生成する。また、指示情報生成部２１１４は、判定部２１１２により床ＦＬの温度が第１基準温度未満であると判定されると、第２給湯開始指示情報を生成し、判定部２１１２により床ＦＬの温度が第１基準温度以上であると判定されると、第２給湯開始指示情報の生成を回避する。ここで、第２給湯開始指示情報は、給湯機２００２に対して循環パイプ５１０へ湯水の供給を開始するよう指示する情報である。また、第２給湯休止指示情報は、給湯機２００２に対して循環パイプ５１０への湯水の供給を休止するよう指示する情報である。
【００５９】
また、指示情報生成部２１１４は、第２温度情報が示す壁ＷＡの温度に基づいて、前述の第１給湯開始指示情報または前述の第１給湯休止指示情報を生成する。具体的には、指示情報生成部２１１４は、判定部２１１２により壁ＷＡの温度が第２目標温度未満であると判定されると、第１給湯開始指示情報を生成する。また、指示情報生成部２１１４は、判定部２１１２により壁ＷＡの温度が第２基準温度未満であると判定されると、第１給湯開始指示情報を生成し、判定部２１１２により壁ＷＡの温度が第２基準温度以上であると判定されると、第１給湯開始指示情報の生成を回避する。ここで、第１給湯開始指示情報は、給湯機２００２に対して循環パイプ６１０へ湯水の供給を開始するよう指示する情報である。また、第２給湯休止指示情報は、給湯機２００２に対して循環パイプ６１０への湯水の供給を休止するよう指示する情報である。
【００６０】
更に、指示情報生成部２１１４は、給湯機２００２から循環パイプ５１０、６１０へ供給する湯水それぞれの温度を指示する第１給湯温度情報、第２給湯温度情報を生成する。ここで、指示情報生成部２１１４は、温度差算出部２１１３により算出された床ＦＬの温度と第１目標温度との温度差に基づいて、給湯機２００２から循環パイプ５１０へ供給される湯水の温度を指定する第２給湯温度情報を生成する。また、指示情報生成部２１１４は、温度差算出部２１１３により算出された壁ＷＡの温度と第２目標温度との温度差に基づいて、給湯機２００２から循環パイプ６１０へ供給される湯水の温度を指定する第２給湯温度情報を生成する。更に、指示情報生成部２１１４は、操作機器２００８から循環パイプ６１０への給湯を休止するよう指令する第１給湯休止指令情報の入力が有ると、前述の第１給湯休止指示情報を生成する。また、指示情報生成部２１１４は、操作機器２００８から循環パイプ５１０への給湯を休止するよう指令する第２給湯休止指令情報の入力が有ると、前述の第２給湯休止指示情報を生成する。また、指示情報生成部２１１４は、実施の形態１に係る指示情報生成部１１４と同様に、動作停止指示情報を生成する。
【００６１】
送信部２１１５は、指示情報生成部２１１４が生成した第１給湯開始指示情報、第２給湯開始指示情報、第１給湯休止指示情報、第２給湯休止指示情報、第１給湯温度情報、第２給湯温度情報または動作停止指示情報を給湯機２００２へ送信する。
【００６２】
目標温度更新部２１１６は、操作機器２００８から第１目標温度情報または第２目標温度情報が入力されると、基準情報記憶部２１３２から第１基準温度情報と目標下限温度情報とを取得する。そして、目標温度更新部２１１６は、第１目標温度情報が示す第１目標温度または第２目標温度情報が示す第２目標温度が、第１基準温度情報が示す第１基準温度未満であり且つ目標下限温度情報が示す目標下限温度よりも高いか否かを判定する。そして、目標温度更新部２１１６は、第１目標温度または第２目標温度が第１基準温度未満であり且つ目標下限温度よりも高い場合、操作機器２００８から入力された第１目標温度情報または第２目標温度情報を目標温度候補記憶部２１２２に記憶させる。そして、目標温度更新部２１１６は、予め設定されたタイミングで、目標温度記憶部２１３１が記憶する第１目標温度情報、第２目標温度情報を、目標温度候補記憶部２１２２が記憶する第１目標温度情報、第２目標温度情報で更新する。
【００６３】
フラグ管理部２１１７は、目標温度更新部２１１６が、操作機器２００８から入力された第１目標温度情報を目標温度候補記憶部２１２２に記憶させると、フラグ記憶部２１２１が記憶する第１フラグ情報を更新する。また、フラグ管理部２１１７は、目標温度更新部２１１６が、目標温度記憶部２１３１が記憶する第１目標温度情報を、目標温度候補記憶部２１２２が記憶する第１目標温度情報で更新すると、フラグ記憶部２１２１が記憶する第１フラグ情報を更新する。また、フラグ管理部２１１７は、目標温度更新部２１１６が、操作機器２００８から入力された第２目標温度情報を目標温度候補記憶部２１２２に記憶させると、フラグ記憶部２１２１が記憶する第２フラグ情報を更新する。また、フラグ管理部２１１７は、目標温度更新部２１１６が、目標温度記憶部２１３１が記憶する第２目標温度情報を、目標温度候補記憶部２１２２が記憶する第２目標温度情報で更新すると、フラグ記憶部２１２１が記憶する第２フラグ情報を更新する。
【００６４】
次に、本実施の形態に係る制御装置２００１が実行する浴室内空気調和処理について図１２および図１３を参照しながら説明する。この浴室内空気調和処理は、例えば利用者が操作機器２００８を介して浴室内空気調和処理を開始するための操作が行われたことを契機として開始される。また、壁ＷＡの温度制御に対応する浴室内空気調和処理と、床ＦＬの温度制御に対応する浴室内空気調和処理と、の２つの処理が、並行して実行される。これらの２つの処理の内容は同じである。ここでは、これらの２つの処理内容を纏めて説明する。図１２および図１３では、床ＦＬの温度制御に対応する浴室内空気調和処理のうち、壁ＷＡの温度制御に対応する浴室内空気調和処理と異なる処理のみ括弧書きで示す。なお、目標温度設定処理の内容は、実施の形態１と同様である。
【００６５】
まず、温度取得部１１１は、温度センサ７１から壁ＷＡ（床ＦＬ）の温度を示す第２温度情報（第１温度情報）を取得する（ステップＳ２１０１）。次に、判定部２１１２は、基準情報記憶部２１３２が記憶する第２基準温度情報（第１基準温度情報）を取得し、壁ＷＡの温度Ｔｗ（床ＦＬの温度Ｔｆ）が、第２基準温度Ｔｗｂ（第１基準温度Ｔｆｂ）未満であるか否かを判定する（ステップＳ２１０２）。ここで、判定部２１１２により壁ＷＡの温度Ｔｗ（床ＦＬの温度Ｔｆ）が、第２基準温度Ｔｗｂ（第１基準温度Ｔｆｂ）以上であると判定されたとする（ステップＳ２１０２：Ｎｏ）。この場合、指示情報生成部１１４が、前述の第１給湯休止指示情報（第２給湯休止指示情報）を生成し、送信部２１１５が、生成された第１給湯休止指示情報（第２給湯休止指示情報）を給湯機２００２へ送信する（ステップＳ２１０３）。続いて、後述する図１３のステップＳ２１２１の処理が実行される。
【００６６】
図１２に戻って、一方、判定部２１１２により、壁ＷＡの温度Ｔｗ（床ＦＬの温度Ｔｆ）が、第２基準温度Ｔｗｂ（第１基準温度Ｔｆｂ）未満であると判定されたとする（ステップＳ２１０２：Ｙｅｓ）。この場合、判定部２１１２は、目標温度記憶部２１３１が記憶する第２目標温度情報（第１目標温度情報）を取得し、壁ＷＡの温度Ｔｗ（床ＦＬの温度Ｔｆ）が、取得した第２目標温度情報（第１目標温度情報）が示す第２目標温度Ｔｗｔ（第１目標温度Ｔｆｔ）未満であるか否かを判定する（ステップＳ２１０４）。判定部２１１２が、壁ＷＡの温度Ｔｗ（床ＦＬの温度Ｔｆ）が第２目標温度Ｔｗｔ（第１目標温度Ｔｆｔ）以上であると判定すると（ステップＳ２１０４：Ｎｏ）、前述のステップＳ２１０３の処理が実行される。
【００６７】
一方、判定部２１１２により、壁ＷＡの温度Ｔｗ（床ＦＬの温度Ｔｆ）が第２目標温度Ｔｗｔ（第１目標温度Ｔｆｔ）未満であると判定されたとする（ステップＳ２１０４：Ｙｅｓ）。この場合、指示情報生成部２１１４は、前述の第２給湯温度情報（第１給湯温度情報）を生成し、送信部２１１５が、生成された第２給湯温度情報（第１給湯温度情報）を給湯機２００２へ送信する（ステップＳ２１０５）。その後、指示情報生成部２１１４は、前述の第１給湯開始指示情報（第２給湯開始指示情報）を生成し、送信部２１１５が、生成された第１給湯開始指示情報（第２給湯開始指示情報）を送信する（ステップＳ２１０６）。次に、判定部２１１２は、実施の形態１と同様に、送信部２１１５が第１給湯開始指示情報（第２給湯開始指示情報）を給湯機２００２へ送信した後の経過時間が前述の待機時間に一致するか否かを判定する（ステップＳ２１０７）。判定部２１１２は、待機時間だけ経過しない限り（ステップＳ２１０７：Ｎｏ）、ステップＳ２１０７の処理を繰り返し実行する。
【００６８】
一方、判定部２１１２により、経過時間が待機時間に一致したと判定されると（ステップＳ２１０７：Ｙｅｓ）、温度取得部２１１１は、ステップＳ２１０１と同様に、第２温度情報（第１温度情報）を取得する（ステップＳ２１０８）。続いて、指示情報生成部２１１４は、前述の第１（第２）給湯休止指令情報の入力が有ったか否かを判定する（ステップＳ２１０９）。指示情報生成部１１４は、第１（第２）給湯休止指令情報の入力が有ったと判定すると（ステップＳ２１０９：Ｙｅｓ）、前述のステップＳ２１０３の処理を実行する。一方、指示情報生成部２１１４が、第１（第２）給湯休止指令情報の入力が無いと判定したとする（ステップＳ２１０９：Ｎｏ）。この場合、判定部２１１２は、ステップＳ２１０２と同様に、壁ＷＡの温度Ｔｗ（床ＦＬの温度Ｔｆ）が、第２基準温度Ｔｗｂ（第１基準温度Ｔｆｂ）未満であるか否かを判定する（ステップＳ２１１０）。ここで、判定部２１１２により壁ＷＡの温度Ｔｗ（床ＦＬの温度Ｔｆ）が、第２基準温度Ｔｗｂ（第１基準温度Ｔｆｂ）以上であると判定されると（ステップＳ２１１０：Ｎｏ）、前述のステップＳ２１０３の処理が実行される。一方、判定部２１１２により、壁ＷＡの温度Ｔｗ（床ＦＬの温度Ｔｆ）が、第２基準温度Ｔｗｂ（第１基準温度Ｔｆｂ）未満であると判定されたとする（ステップＳ２１１０：Ｙｅｓ）。この場合、判定部２１１２は、前述のステップＳ２１０４と同様に、壁ＷＡの温度Ｔｗ（床ＦＬの温度Ｔｆ）が、第２目標温度Ｔｗｔ（第１目標温度Ｔｆｔ）未満であるか否かを判定する（ステップＳ２１１１）。判定部２１１２が、壁ＷＡの温度Ｔｗ（床ＦＬの温度Ｔｆ）が第２目標温度Ｔｗｔ（第１目標温度Ｔｆｔ）以上であると判定すると（ステップＳ２１１１：Ｎｏ）、前述のステップＳ２１０３の処理が実行される。
【００６９】
一方、判定部２１１２により、壁ＷＡの温度Ｔｗ（床ＦＬの温度Ｔｆ）が第２目標温度Ｔｗｔ（第１目標温度Ｔｆｔ）未満であると判定されたとする（ステップＳ２１１１：Ｙｅｓ）。この場合、温度差算出部２１１３が、温度取得部２１１１が取得した第２温度情報（第１温度情報）が示す壁ＷＡの温度Ｔｗ（床ＦＬの温度Ｔｆ）と、第２目標温度Ｔｗｔ（第１目標温度Ｔｆｔ）との温度差を算出する（ステップＳ２１１２）。次に、指示情報生成部２１１４は、温度差算出部２１１３が算出した温度差ΔＴが０℃よりも高いか否かを判定する（ステップＳ２１１３）。判定部２１１２により温度差算出部２１１３が算出した温度差ΔＴが０℃以下であると判定されると（ステップＳ２１１３：Ｎｏ）、後述するステップＳ２１１６の処理が実行される。一方、判定部２１１２により温度差算出部１１３が算出した温度差ΔＴが、０℃よりも高いと判定されたとする（ステップＳ２１１３：Ｙｅｓ）。この場合、指示情報生成部２１１４は、予め設定された給湯温度に、温度差算出部２１１３が算出した温度差ΔＴを足して得られる温度を新たな給湯温度として再設定する（ステップＳ２１１４）。そして、指示情報生成部２１１４は、循環パイプ６１０（５１０）へ供給される湯水の温度を、新たな給湯温度に指定する第１給湯温度情報（第２給湯温度情報）を生成し、送信部２１１５が、生成された第１給湯温度情報（第２給湯温度情報）を送信する（ステップＳ２１１５）。
【００７０】
続いて、指示情報生成部２１１４は、給湯機２００２が給湯休止中であるか否かを判定する（ステップＳ２１１６）。指示情報生成部２１１４が、給湯機２が休止中でないと判定すると（ステップＳ２１１６：Ｎｏ）、そのまま後述するステップＳ２１１８の処理が実行される。一方、指示情報生成部２１１４は、給湯機２００２が休止中であると判定すると（ステップＳ２１１６：Ｙｅｓ）、第１給湯開始指示情報（第２給湯開始指示情報）を生成する。そして、送信部２１１５が、生成された第１給湯開始指示情報（第２給湯開始指示情報）を給湯機２００２へ送信する（ステップＳ２１１７）。
【００７１】
その後、目標温度更新部２１１６は、フラグ記憶部２１２１が記憶する第２フラグ情報Ｆｗ（第１フラグ情報Ｆｆ）の内容が「Ｆ１」であるか否かを判定する（ステップＳ２１１８）。目標温度更新部２１１６により第２フラグ情報Ｆｗ（第１フラグ情報Ｆｆ）の内容が「Ｆ０」であると判定されると（ステップＳ２１１８：Ｎｏ）、後述するステップＳ２１２１の処理が実行される。一方、目標温度更新部２１１６は、第２フラグ情報Ｆｗ（第１フラグ情報Ｆｆ）の内容が「Ｆ１」であると判定すると（ステップＳ２１１８：Ｙｅｓ）、目標温度記憶部２１３１が記憶する第２目標温度情報（第１目標温度情報）を、目標温度候補記憶部２１２２が記憶する第２目標温度情報（第１目標温度情報）で更新する（ステップＳ２１１９）。次に、フラグ管理部２１１７は、フラグ記憶部２１２１が記憶する第２フラグ情報Ｆｗ（第１フラグ情報Ｆｆ）の内容を「Ｆ０」に更新する（ステップＳ２１２０）。続いて、ステップＳ２１２１以降の処理が実行される。ステップＳ２１２１以降の処理は、実施の形態１で説明したステップＳ１２２以降の処理と同様である。
【００７２】
以上説明したように、本実施の形態に係る循環パイプ６１０は、給湯機２００２から供給される湯水が循環パイプ６１０を流れた後、給湯機２００２へ戻るように配管され、循環パイプ５１０は、給湯機２００２から供給される湯水が循環パイプ５１０を流れた後、給湯機２００２へ戻るように配管されている。これにより、制御装置２００１は、給湯機２００２から循環パイプ６１０、５１０それぞれへの湯水の供給状態を、各別に制御することができるので、床ＦＬの温度と壁ＷＡの温度とを独立して自由に設定することができる。従って、例えば床ＦＬに埋設された循環パイプ５１０のみに湯水を供給したり、壁ＷＡに埋設された循環パイプ６１０へ水道水を供給したりすることにより、浴室Ｒ内の温度上昇を抑制して利用者のいわゆるのぼせを抑制することができる。このように、利用者の快適性の向上および利用者の健康面への効果が期待される。
【００７３】
また、本実施の形態に係る判定部２１１２は、床ＦＬの温度が第１目標温度未満であるか否かを判定し、指示情報生成部２１１４は、判定部２１１２により床ＦＬの温度が第１目標温度未満であると判定されると、第２給湯開始指示情報を生成する。また、判定部２１１２は、壁ＷＡの温度が第２目標温度未満であるか否かを判定し、指示情報生成部２１１４は、判定部２１１２により壁ＷＡの温度が第２目標温度未満であると判定されると、第１給湯開始指示情報を生成する。また、判定部２１１２は、床ＦＬの温度が予め設定された第１基準温度未満であるか否かを判定し、指示情報生成部２１１４は、判定部２１１２により床ＦＬの温度が第１基準温度未満であると判定されると、第２給湯開始指示情報を生成する。一方、指示情報生成部２１１４は、判定部２１１２により床ＦＬの温度が第１基準温度以上であると判定されると、第２給湯開始指示情報の生成を回避する。更に、判定部２１１２は、壁ＷＡの温度が第２基準温度未満であるか否かを判定し、指示情報生成部２１１４は、判定部２１１２により壁ＷＡの温度が第２基準温度未満であると判定されると、第１給湯開始指示情報を生成する。一方、指示情報生成部２１１４は、判定部２１１２により壁ＷＡの温度が第２基準温度以上であると判定されると、第１給湯開始指示情報の生成を回避する。これにより、床ＦＬおよび壁ＷＡの温度が過度に上昇することが抑制される。
【００７４】
更に、本実施の形態に係る温度差算出部２１１３は、床ＦＬの温度と第１目標温度との温度差を算出し、指示情報生成部２１１４が、算出された温度差に基づいて、給湯機２００２から循環パイプ５１０へ供給される湯水の温度を指定する第１給湯温度情報を生成する。また、温度差算出部２１１３は、壁ＷＡの温度と第２目標温度との温度差を算出し、指示情報生成部２１１４が、算出された温度差に基づいて、給湯機２００２から循環パイプ６１０へ供給される湯水の温度を指定する第２給湯温度情報を生成する。これにより、給湯機２００２から循環パイプ５１０へ床ＦＬの温度を第１目標温度に効率良く近づけるのに適した温度の湯水が供給され、給湯機２００２から循環パイプ６１０へ壁ＷＡの温度を第２目標温度に効率良く近づけるのに適した温度の湯水が供給されるので、床ＦＬの温度が第１目標温度で維持され易くなるとともに、壁ＷＡの温度が第２目標温度で維持され易くなる。
【００７５】
以上、本発明の実施の形態について説明したが、本発明は前述の各実施の形態によって限定されるものではない。例えば図１４に示すように、循環パイプ６１０に連通する接続パイプ３９４１と、循環パイプ５１０に連通する接続パイプ３９４２とが、三方弁３９９１を介して互いに接続されているものであってもよい。なお、図１４において、実施の形態１と同様の構成については、図２と同一の符号を付している。また、給湯機３００２は、環流パイプ３９５１を介して三方弁３９９１に接続されている。ここで、三方弁３９９１は、制御装置３００１から入力される制御信号に応じて、循環パイプ６１０から流入する湯水を、循環パイプ５１０または給湯機３００２へ流出させる。
【００７６】
給湯機３００２は、実施の形態１に係る給湯機２と同様の構成であり、生成した湯水を、給湯パイプ９３１を通じて循環パイプ６１０へ供給する。操作機器３００８は、実施の形態１に係る操作機器８と同様であり、プッシュスイッチが操作されることにより、循環パイプ６１０へ供給された湯水の環流モードの変更を指示する環流モード変更指示情報を制御装置３００１へ出力可能となっている。
【００７７】
制御装置３００１は、操作機器３００８から入力される環流モード変更指示情報に基づいて、三方弁３９９１へ制御信号を出力することにより、三方弁３９９１の状態を制御する。例えば、三方弁３９９１が循環パイプ６１０から流入する湯水を循環パイプ５１０へ流出させる状態において、制御装置３００１が、実施の形態１で説明した浴室内空気調和処理を実行しているとする。このとき、操作機器３００８から制御装置３００１へ前述の環流モード変更指示情報が入力されると、制御装置３００１は、浴室内空気調和処理を強制的に終了させるとともに、三方弁３９９１へ制御信号を出力することにより、三方弁３９９１を、循環パイプ６１０から流入する湯水を給湯機３００２へ流出させる状態へ変更する。そして、制御装置３００１は、給湯機３００２から循環パイプ６１０へ供給する湯水の温度を低下させるよう指示する給湯温度情報を給湯機３００２へ送信することにより、壁ＷＡの温度を給湯温度情報が示す温度にまで冷却することができる。
【００７８】
本構成によれば、例えば浴室Ｒ内の温度が上昇した場合に、循環パイプ６１０へ供給された湯水の環流モードを変更することができるので、利用者ののぼせ抑制を図ることができる。
【００７９】
各実施の形態では、循環パイプ６１０が壁ＷＡに配設される例について説明したが、これに限らず、循環パイプ６１０が、浴室Ｒの天井に埋設されていてもよいし、或いは、天井と壁ＷＡの両方に亘って埋設されていてもよい。
【００８０】
また、本発明に係る制御装置１、２００１、３００１の各種機能は、ソフトウェア、ファームウェア、またはソフトウェアとファームウェアとの組み合わせにより実現されてもよい。この場合、ソフトウェアまたはファームウェアは、プログラムとして記述され、プログラムを、フレキシブルディスク、ＣＤ−ＲＯＭ（Compact Disc Read Only Memory）、ＤＶＤ（Digital Versatile Disc）およびＭＯ（Magneto-Optical Disc）等のコンピュータ読み取り可能な記録媒体に格納して配布し、そのプログラムをコンピュータに読み込んでインストールすることにより、前述の各機能を実現することができるコンピュータを構成してもよい。そして、各機能をＯＳ（Operating System）とアプリケーションとの分担、またはＯＳとアプリケーションとの協同により実現する場合等には、ＯＳ以外の部分のみを記録媒体に格納してもよい。
【００８１】
さらに、搬送波に各プログラムを重畳し、ネットワークを介して配信することも可能である。例えば、ネットワーク上の掲示板（BBS，Bulletin Board System）に当該プログラムを掲示し、ネットワークを介して当該プログラムを配信してもよい。そして、これらのプログラムを起動し、ＯＳの制御下で、他のアプリケーションプログラムと同様に実行することにより、前述の処理を実行できるように構成してもよい。
【産業上の利用可能性】
【００８２】
本発明は、浴室内の温度を調節するための浴室内空気調和システムとして好適である。
【符号の説明】
【００８３】
１，２００１，３００１  制御装置、２，２００２,３００２  給湯機、３  浴槽、４  カラン、５  床埋設伝熱パネル、６  壁埋設伝熱パネル、８,２００８  操作機器、７１,７２  温度センサ、８１  プッシュスイッチ、８２  表示画面、１０１  ＣＰＵ、１０２  主記憶部、１０３  補助記憶部、１０４  通信インタフェース、１０９  バス、１１１  温度取得部、１１２,２１１２  判定部、１１３,２１１３  温度差算出部、１１４,２１１４  指示情報生成部、１１５,２１１５  送信部、１１６,２１１６  目標温度更新部、１１７,２１１７  フラグ管理部、１１８  計時部、１２１,２１２１  フラグ記憶部、１２２,２１２２  目標温度候補記憶部、１３１,２１３１  目標温度記憶部、１３２,２１３２  基準情報記憶部、５１０,６１０  循環パイプ、５１２,６１２  伝熱板、５１３,６１３  導水管、５１４,６１４  排水管、５１５,６１５  伝熱管、６１６  断熱材、９３１,２９３２,２９３３  給湯パイプ、９４１,３９４１,３９４２  接続パイプ、９５１,２９５２,２９５３,３９５１  環流パイプ、３９９１  三方弁、ＦＬ  床、Ｒ  浴室、ＷＡ  壁
【図１】
2020180756.tif 000003
【図２】
2020180756.tif 000004
【図３】
2020180756.tif 000005
【図４】
2020180756.tif 000006
【図５】
2020180756.tif 000007
【図６】
2020180756.tif 000008
【図７】
2020180756.tif 000009
【図８】
2020180756.tif 000010
【図９】
2020180756.tif 000011
【図１０】
2020180756.tif 000012
【図１１】
2020180756.tif 000013
【図１２】
2020180756.tif 000014
【図１３】
2020180756.tif 000015
【図１４】
2020180756.tif 000016